(57)【要約】【課題】  床等の剛性を高く維持しながら、簡易な構成によって、枠組壁工法、在来工法による住宅等の外壁、内壁等に通気構造を形成し、ホルムアルデヒド等の有機化合物を除去してシックハウスを防止する。【解決手段】  端根太１１を貫通し、床下２に連通する複数の第１の貫通孔１１ａと、第１の下枠１２に形成され、各々が複数の第１の貫通孔１１ａの各々に連通する複数の傾斜溝１２ａと、第１の下枠１２上に載置された第２の下枠１３を貫通し、各々が複数の傾斜溝１２ａの各々に連通する複数の第２の貫通孔１３ａと、第２の貫通孔１３ａに連通する壁内通気層６と、上枠２５を貫通し、壁内通気層６及び天井裏４と連通する複数の第３の貫通孔２５ａとを備える建築物の壁内通気構造１。この壁内通気構造１の壁内通気層６を外壁に備え、シックハウス対策が施された２×４住宅等を提供することができる。【選択図】  図４
2005146804.tif 000002
【特許請求の範囲】
【請求項１】
端根太を貫通し、床下または天井裏に連通する複数の第１の貫通孔と、
第１の下枠に形成され、各々が前記複数の第１の貫通孔の各々に連通する複数の傾斜溝と、
前記第１の下枠上に載置された第２の下枠を貫通し、各々が前記複数の傾斜溝の各々に連通する複数の第２の貫通孔と、
該第２の貫通孔に連通する壁内通気層と、
上枠を貫通し、前記壁内通気層及び天井裏または小屋裏と連通する複数の第３の貫通孔とを備えることを特徴とする建築物の壁内通気構造。
【請求項２】
請求項１に記載の建築物の壁内通気構造の前記壁内通気層を、外壁に備えることを特徴とする枠組壁工法による建築物。
【請求項３】
土台または胴差に固定された根太掛部材の、床下地材に面する面に開口部を有する複数の溝と、
該複数の溝、及び天井裏または小屋裏と連通する壁内通気層とを備えることを特徴とする建築物の壁内通気構造。
【請求項４】
土台または胴差に固定された根太掛部材の、前記土台または胴差に面する面に開口部を有する複数の溝と、
該複数の溝、及び天井裏または小屋裏と連通する壁内通気層とを備えることを特徴とする建築物の壁内通気構造。
【請求項５】
請求項３記載または／及び請求項４記載の建築物の壁内通気構造の壁内通気層を、外壁または内壁に備えることを特徴とする在来工法による建築物。
【発明の詳細な説明】
【技術分野】
【０００１】
本発明は、建築物の壁内通気構造に関し、特に、枠組壁工法及び在来工法による建築物に適用することができ、シックハウス症候群の発生を防止するための壁内通気構造に関する。
【背景技術】
【０００２】
近年、新築された一般住宅等において、居住者が、目の痛み、めまい、吐き気、頭痛等を訴える、いわゆるシックハウスが問題となっている。これは、主に、建築資材、家具等に用いられる合板、接着剤、塗料等に含まれるホルムアルデヒド、トルエン等の有機化合物に起因する。また、最近の住宅等の気密性の向上により、上記有機化合物が外部に放出されずに家屋内に滞留し、シックハウス症候群の発生が助長されるといわれている。
【０００３】
上記問題を解決するため、種々の対策が採られているが、例えば、２００３年７月１日着工分から適用される改正建築基準法では、２４時間常時運転することのできる換気設備の設置が義務づけられている。また、室内を換気して、特に建築直後に高濃度になる有機化合物を速やかに除去したり、入居後も家屋内の空気中の有害物質等を除去することにより、快適な居住環境を形成することを目的とした技術が提案されている（例えば、特許文献１及び２）。
【０００４】
一方、特許文献３及び４には、シックハウス対策ではないが、建築物の外壁及び内壁等の内部に通気路を形成することにより、屋内の温熱環境を向上させ、構成部材の水分環境を良好な状態に保つ技術が開示されている。
【０００５】
【特許文献１】特開２００２−９８３５４号公報
【特許文献２】特開２００２−７１１８６号公報
【特許文献３】特開２００１−４０７８５号公報
【特許文献４】特開２００３−６４７９１号公報
【発明の開示】
【発明が解決しようとする課題】
【０００６】
特許文献３及び４に記載されるような通気構造を外壁等の内部に形成することは、有機化合物等の除去にも寄与するため、シックハウス対策にもなるが、複雑な構造としないで、床等の剛性を高く維持したまま通気構造を形成するのは容易ではないという問題があった。
【０００７】
そこで、本発明は、床等の剛性を高く維持しつつ、簡易な構成によって、枠組壁工法等の外壁等に通気構造を形成することを目的とする。
【課題を解決するための手段】
【０００８】
上記目的を達成するため、本発明は、建築物の壁内通気構造であって、端根太を貫通し、床下または天井裏に連通する複数の第１の貫通孔と、第１の下枠に形成され、各々が前記複数の第１の貫通孔の各々に連通する複数の傾斜溝と、前記第１の下枠上に載置された第２の下枠を貫通し、各々が前記複数の傾斜溝の各々に連通する複数の第２の貫通孔と、該第２の貫通孔に連通する壁内通気層と、上枠を貫通し、前記壁内通気層及び天井裏または小屋裏と連通する複数の第３の貫通孔とを備えることを特徴とする。
【０００９】
そして、本発明によれば、端根太の複数の第１の貫通孔と、第１の下枠の複数の傾斜溝と、第２の下枠の複数の第２の貫通孔と、壁内通気層と、上枠の複数の第３の貫通孔とを介して、下方の床下または天井裏と、上方の天井裏または小屋裏との間に通気ルートを形成することができるため、建築資材等が含有する有機化合物等をこの通気ルートを介して除去することができ、シックハウス対策として有効に機能する。この際、通気ルートを壁内通気層と、端根太、下枠及び上枠に形成した貫通孔等のみで形成しているため、構造が簡単で、火打ちも不要となり、床等の剛性を高く維持することもできる。
【００１０】
また、本発明は、枠組壁工法による建築物であって、上記建築物の壁内通気構造の前記壁内通気層を、外壁に備えることを特徴とする。これによって、シックハウス対策等が施された２×４、または２×６住宅等を提供することができる。
【００１１】
さらに、本発明は、建築物の壁内通気構造であって、土台または胴差に固定された根太掛部材の、床下地材に面する面に開口部を有する複数の溝と、該複数の溝、及び天井裏または小屋裏と連通する壁内通気層とを備えることを特徴とする。
【００１２】
本発明によれば、根太掛部材と床下地材との間に形成された通気路と、壁内通気層とで、下方の床下または天井裏と、上方の天井裏または小屋裏との間に通気ルートを形成することができるため、建築資材等が含有する有機化合物等をこの通気ルートを介して除去することができ、シックハウス対策として有効に機能する。この際、通気ルートを壁内通気層と、根太掛部材に形成した複数の溝のみで形成しているため、構造が簡単で、火打ちも不要となり、床等の剛性を高く維持することもできる。
【００１３】
また、本発明は、建築物の壁内通気構造であって、土台または胴差に固定された根太掛部材の、前記土台または胴差に面する面に開口部を有する複数の溝と、該複数の溝、及び天井裏または小屋裏と連通する壁内通気層とを備えることを特徴とする。
【００１４】
本発明によれば、根太掛部材と土台または胴差との間に形成された通気路と、壁内通気層とで、下方の床下または天井裏と、上方の天井裏または小屋裏との間に通気ルートを形成することができるため、建築資材等が含有する有機化合物等をこの通気ルートを介して除去することができ、シックハウス対策として有効に機能する。この際、通気ルートを壁内通気層と、根太掛部材に形成した複数の溝のみで形成しているため、構造が簡単で、火打ちも不要となり、床等の剛性を高く維持することもできる。
【００１５】
さらに、本発明は、在来工法による建築物であって、上記建築物の壁内通気構造の壁内通気層を、外壁または内壁に備えることを特徴とする。これによって、シックハウス対策等が施された在来工法住宅等を提供することができる。
【発明の効果】
【００１６】
以上説明したように、本発明によれば、床等の剛性を高く維持しながら、簡易な構成によって、枠組壁工法等の外壁等に通気構造を形成し、シックハウスを防止するための建築物の壁内通気構造を提供することができる。
【発明を実施するための最良の形態】
【００１７】
まず、本発明にかかる建築物の壁内通気構造を枠組壁工法に適用した場合を例にとって説明する。
【００１８】
図１に示すように、この建築物の壁内通気構造１では、通気層６、７、８が、各々床下２と１階の天井裏４との間の外壁、及び天井裏４と小屋裏との間の外壁及び屋根の構成部材に設けられている。これによって、床下２から小屋裏までの通気ルートが形成される。
【００１９】
次に、１階床下２から壁内への通気構造について、図３及び図４を参照しながら説明する。
【００２０】
図４に示すように、端根太１１の上部には、板厚方向を貫通する多数の貫通孔１１ａが穿設される。また、土台１４上の下枠１２には、多数の傾斜溝１２ａが形成され、各々の傾斜溝１２ａの位置は、端根太１１の貫通孔１１ａの位置に対応している。さらに、傾斜溝１２ａの上の下枠１３には、板厚方向を貫通する多数の貫通孔１３ａが穿設され、各々の貫通孔１３ａの位置は、下枠１２の傾斜溝１２ａの位置に対応している。
【００２１】
端根太１１、下枠１２及び下枠１３を組み合わせると、図３に示すように、貫通孔１１ａと、傾斜溝１２ａと、貫通孔１３ａとが連通して通気路となり、床下２から通気路６への通気路が形成される。
【００２２】
尚、下枠１２は、基礎コンクリート１６上に基礎パッキン１５を介して載置された土台１４の上方に設けられ、下枠１３は、下枠１２の上に載置される。端根太１１は、床下地材１８の下方において床根太１７及び土台１４に接合される。通気層６は、外壁仕上材２０と、断熱材２１との間に設けられる。断熱材２１の外側には、構造用合板２２が配置される。端根太１１の下部の基礎コンクリート１６上には、現場発泡ウレタン２３が施工される。
【００２３】
次に、１階天井裏４の通気構造について図５を参照しながら説明する。
【００２４】
断熱材２１の上方に位置する上枠２５及び上枠２６には、各々の板厚方向を貫通する貫通孔２５ａ、２６ａが穿設され、通気層６と連通している。上枠２６の上方に位置する上枠２７には、図４に示した下枠１２の傾斜溝１２ａと同様の傾斜溝２７ａが形成され、貫通孔２６ａと連通している。これによって、通気層６は、天井裏４と連通する。天井裏４は、天井仕上材９と床下地材３２との間に形成され、床下地材３２の上には床仕上材３３が敷設される。
【００２５】
また、端根太２９、下枠３０及び下枠３１についても、図３及び図４に示した端根太１１、下枠１２及び下枠１３と同様に構成され、貫通孔２９ａ、傾斜溝３０ａ及び貫通孔３１ａを介して、天井裏４と通気層７との間に通気路が形成される。通気層７は、外壁仕上材３４と、断熱材３５の間に形成される。
【００２６】
次に、小屋裏の通気構造について図６を参照しながら説明する。
【００２７】
上枠４１、４２、４３には、各々の板厚方向を貫通する貫通孔４１ａ、４２ａ、４３ａが穿設され、上下方向において通気層７、８と連通している。これによって、床下２から小屋裏までの通気ルートが形成される。通気層８は、天井仕上材４４と断熱材４８との間に形成される。尚、上枠４３の上方にはころび止め４５が位置し、その上方には屋根下地材４７が位置し、たるき４６に支持される。
【００２８】
次に、本発明にかかる建築物の壁内通気構造を在来工法に適用した場合を例にとって説明する。
【００２９】
図７に示すように、本実施の形態にかかる建築物の壁内通気構造５１では、外壁５２に、通気層６２、６３が、内壁５３に通気層６４、６５が、各々床下５４と天井裏６７との間、及び天井裏６７と天井裏６９との間に設けられ、床下５４から小屋裏までの通気ルートが形成される。
【００３０】
次に、建築物の壁内通気構造５１の構成要素の根太掛部材の詳細について、図８を参照しながら説明する。尚、この根太掛部材７０は、胴差７１と床下地材７２とに接合されるが、図７において土台５７、５８及び床下地材８３に接合される根太掛部材５９、６０、６１についても同様の構成を有する。
【００３１】
根太掛部材７０は、図８（ａ）に明示されるように、床下地材７２に面する上面に断面が半円状の多数の溝７０ａを有する。また、図８（ｃ）に明示されるように、胴差７１に面する側面に断面が半円状の多数の溝７０ｂを有する。そして、図８（ｂ）に示すように、根太掛部材７０が胴差７１及び床下地材７２に接合されると、溝７０ａ、７０ｂによって、点線で示されるような通気路が形成され、図７に示した天井裏６７と通気層６３または通気層６５とを連通させることができる。尚、溝７０ａ、７０ｂについては、断面が半円形のものに限定されることなく、Ｖ字状等種々の断面形状とすることができる。
【００３２】
次に、１階床下５４から壁内への通気構造について、図９を参照しながら説明する。
【００３３】
根太掛部材５９、６０、６１は、図８に示した根太掛部材７０と同様の構成を有するため、溝５９ａ、５９ｂ、６０ａ、６０ｂ、６１ａ、６１ｂを介して、床下５４と通気層６２または通気層６４とが連通する。通気層６２は、断熱材８６と外壁仕上材８８との間に形成され、断熱材８６の外側に構造用合板８５が位置する。また、通気層６４は、内壁仕上材８９、９０の間に形成される。
【００３４】
尚、根太掛部材５９、６０、６１は、基礎コンクリート５５、５６に位置する土台５７、５８及び床下地材８３に接合される。床下地材８３の上には、床仕上材８４が敷設される。根太掛部材５９、６０、６１と、基礎コンクリート５５、５６との間には、現場発泡ウレタン８０、８１、８２が施工される。
【００３５】
次に、１階天井裏６７の外壁５２の通気構造について、図１０を参照しながら説明する。
【００３６】
通気層６２から天井裏６７への通気は、矢印で示すように空気が流れることによって行われ、天井裏６７から通気層６３への通気は、図８に示した根太掛部材７０によって、溝７０ａ、７０ｂを矢印方向に空気が流れることによって行われる、尚、根太掛部材７０は、胴差７１及び床下地材７２に接合される。通気層６３は、外壁仕上材９５と断熱材９４の間に形成される。
【００３７】
次に、１階天井裏６７の内壁５３の通気構造について、図１１を参照しながら説明する。
【００３８】
通気層６４から天井裏６７への通気は、矢印で示すように空気が流れることによって行われ、天井裏６７から通気層６５への通気は、図８に示した根太掛部材７０と同様の構成を有する根太掛部材９７、９８によって、溝９７ａ、９７ｂ、９８ａ、９８ｂを矢印方向に空気が流れることによって行われる、尚、根太掛部材９７、９８は、床梁９６及び床下地材７２に接合される。通気層６５は、内壁仕上材９９、１００の間に形成される。
【００３９】
次に、小屋裏の通気構造について図１２を参照しながら説明する。
【００４０】
通気層６３から天井裏６９への通気、及び通気層６５から天井裏６９への通気は、矢印で示すように空気が流れることによって行われる。これによって、図７に示した床下５４から小屋裏までの通気ルートが形成される。
【図面の簡単な説明】
【００４１】
【図１】本発明にかかる建築物の壁内通気構造を枠組壁工法に適用した場合を示す全体断面図である。
【図２】図１のＡ−Ａ矢視図である。
【図３】図１の建築物の壁内通気構造の１階床部の通気路を示す拡大断面図である。
【図４】図１の建築物の壁内通気構造の１階床部の通気路を示す分解斜視図である。
【図５】図１の建築物の壁内通気構造の１階天井裏の通気路を示す拡大断面図である。
【図６】図１の建築物の壁内通気構造の小屋裏の通気路を示す拡大断面図である。
【図７】本発明にかかる建築物の壁内通気構造を在来工法に適用した場合を示す全体断面図である。
【図８】図７の建築物の壁内通気構造の根太掛部材及びその近傍を示す図であって、（ａ）は正面図、（ｂ）は側面図、（ｃ）は（ｂ）のＢ−Ｂ矢視図である。
【図９】図７の建築物の壁内通気構造の１階床部の通気路を示す拡大断面図であって、（ａ）は外壁、（ｂ）は内壁を示す。
【図１０】図７の建築物の壁内通気構造の外壁の１階天井裏の通気路を示す拡大断面図である。
【図１１】図７の建築物の壁内通気構造の内壁の１階天井裏の通気路を示す拡大断面図である。
【図１２】図７の建築物の壁内通気構造の小屋裏の通気路を示す拡大断面図であって、（ａ）は外壁、（ｂ）は内壁を示す。
【符号の説明】
【００４２】
１      建築物の壁内通気構造
２      床下
３      居室
４      天井裏
５      居室
６      通気層
７      通気層
８      通気層
９      天井仕上材
１１    端根太
１１ａ  貫通孔
１２    下枠
１２ａ  傾斜溝
１３    下枠
１３ａ  貫通孔
１４    土台
１５    基礎パッキン
１６    基礎コンクリート
１７    床根太
１８    床下地材
１９    床仕上材
２０    外壁仕上材
２１    断熱材
２２    構造用合板
２３    現場発泡ウレタン
２４    床根太
２５    上枠
２５ａ  貫通孔
２６    上枠
２６ａ  貫通孔
２７    上枠
２７ａ  傾斜溝
２８    胴縁
２９    端根太
２９ａ  貫通孔
３０    下枠
３０ａ  傾斜溝
３１    下枠
３１ａ  貫通孔
３２    床下地材
３３    床仕上材
３４    外壁仕上材
３５    断熱材
３６    構造用合板
４１    上枠
４１ａ  貫通孔
４２    上枠
４２ａ  貫通孔
４３    上枠
４３ａ  貫通孔
４４    天井仕上材
４５    ころび止め
４６    たるき
４７    屋根下地材
４８    断熱材
５１    建築物の壁内通気構造
５２    外壁
５３    内壁
５４    床下
５５    基礎コンクリート
５６    基礎コンクリート
５７    土台
５８    土台
５９    根太掛部材
５９ａ  溝
５９ｂ  溝
６０    根太掛部材
６０ａ  溝
６０ｂ  溝
６１    根太掛部材
６１ａ  溝
６１ｂ  溝
６２    通気層
６３    通気層
６４    通気層
６５    通気層
６６    居室
６７    天井裏
６８    居室
６９    天井裏
７０    根太掛部材
７０ａ  溝
７０ｂ  溝
７１    胴差
７２    床下地材
８０    発泡ウレタン
８１    発泡ウレタン
８２    発泡ウレタン
８３    床下地材
８４    床仕上材
８５    構造用合板
８６    断熱材
８７    胴縁
８８    外壁仕上材
８９    内壁仕上材
９０    内壁仕上材
９１    天井仕上材
９２    床仕上材
９３    構造用合板
９４    断熱材
９５    外壁仕上材
９６    床梁
９７    根太掛部材
９７ａ  溝
９７ｂ  溝
９８    根太掛部材
９８ａ  溝
９８ｂ  溝
９９    内壁仕上材
１００  内壁仕上材
１０１  天井仕上材
【図１】
2005146804.tif 000003
【図２】
2005146804.tif 000004
【図３】
2005146804.tif 000005
【図４】
2005146804.tif 000006
【図５】
2005146804.tif 000007
【図６】
2005146804.tif 000008
【図７】
2005146804.tif 000009
【図８】
2005146804.tif 000010
【図９】
2005146804.tif 000011
【図１０】
2005146804.tif 000012
【図１１】
2005146804.tif 000013
【図１２】
2005146804.tif 000014